(57)【要約】【課題】表面に凹みを有する被塗材の表面上に化粧層を形成するにあたって、目留め剤の使用量を抑えることができる木質材の表面処理装置及びこれを用いた表面処理方法を提案する。【解決手段】本発明の木質材の表面処理装置１は、凹み検出装置４と、オンデマンド方式の塗装装置５と、目留め剤塗布装置６とを備える。凹み検出装置４は、木質の被塗材２の表面２０に有する所定の大きさ以上の凹み３を検出する。塗装装置５は、凹み検出装置４で検出した凹み３の大きさに応じた量の目留め剤５０を凹み３に注入する。目留め剤塗布装置６は、目留め剤５０が注入された凹み３を含む被塗材２の表面２０に目留め剤６０を塗布する。また、本発明の木質材の表面処理方法は、検出した木質の被塗材２の表面２０の凹み３に目留め剤５０を注入し、目留め剤５０が注入された凹み３を含む被塗材２の表面２０に目留め剤６０を塗布する。【選択図】図１
2013188913.tif 000002
【特許請求の範囲】
【請求項１】
木質の被塗材の表面に有する所定の大きさ以上の凹みを検出する凹み検出装置と、
この凹み検出装置によって検出した前記凹みの大きさに応じた量の目留め剤を前記凹みに注入するオンデマンド方式の塗装装置と、
前記目留め剤が注入された前記凹みを含む前記被塗材の前記表面に目留め剤を塗布する目留め剤塗布装置と、
を備えることを特徴とする木質材の表面処理装置。
【請求項２】
木質の被塗材の表面に有する所定の大きさ以上の凹みを検出し、
次に、検出した前記凹みの大きさに応じた量の目留め剤を前記凹みに注入し、
次に、前記目留め剤が注入された前記凹みを含む前記被塗材の前記表面に目留め剤を塗布することを特徴とする木質材の表面処理方法。
【発明の詳細な説明】
【技術分野】
【０００１】
本発明は、木質材の表面処理装置及びこれを用いた表面処理方法に関する。
【背景技術】
【０００２】
パーティクルボードや合板等の木質材の側端面は、木質材の小片が抜けたり、重ね合わせた板間に隙間ができたりして、部分的に凹んでいる場合が多い。そのため、こういった木質材の側端面には、目留め剤が塗布されて凹みが埋められる。
【０００３】
特許文献１には、パーティクルボードや合板等の木質の被塗材の表面に、目止め処理を行った上で着色塗布して化粧層を形成することや、目止め処理を行った上で紙や樹脂フィルムからなる化粧シートを貼り付けて化粧層を形成することが開示されている。
【先行技術文献】
【特許文献】
【０００４】
【特許文献１】特開平１１−１１４９２０号公報
【発明の概要】
【発明が解決しようとする課題】
【０００５】
上述のように目留め剤で凹みを埋めるためには、被塗材の表面全体に塗布する目留め剤の厚みを増やすことが考えられる。
【０００６】
しかし、これでは、被塗材の表面のうち、凹みのない平坦な部分に塗布する目留め剤の厚みまで増やすこととなり、目留め剤を無駄に消費してしまう。
【０００７】
そこで、上記事情を鑑みて、本発明は、表面に凹みを有する被塗材の表面上に化粧層を形成するにあたって、目留め剤の使用量を抑えることができる木質材の表面処理装置及びこれを用いた表面処理方法を提案することを課題とする。
【課題を解決するための手段】
【０００８】
上記課題を解決するために本発明の木質材の表面処理装置は、木質の被塗材の表面に有する所定の大きさ以上の凹みを検出する凹み検出装置と、この凹み検出装置によって検出した前記凹みの大きさに応じた量の目留め剤を前記凹みに注入するオンデマンド方式の塗装装置と、前記目留め剤が注入された前記凹みを含む前記被塗材の前記表面に目留め剤を塗布する目留め剤塗布装置と、を備えることを特徴とする。
【０００９】
また、上記課題を解決するために本発明の木質材の表面処理方法は、木質の被塗材の表面に有する所定の大きさ以上の凹みを検出し、次に、検出した前記凹みの大きさに応じた量の目留め剤を前記凹みに注入し、次に、前記目留め剤が注入された前記凹みを含む前記被塗材の前記表面に目留め剤を塗布することを特徴とする。
【発明の効果】
【００１０】
本発明によると、木質の被塗材の表面の所定の大きさ以上の凹みを検出し、この凹みを目留め剤で埋めて、被塗材の表面を略平坦にしたうえで、この表面に目留め剤を塗布することができる。そのため、本発明では、表面に凹みを有する被塗材の表面上に化粧層を形成するにあたって、この被塗材の表面に塗布する目留め剤の厚みを、凹みを埋めるために全体的に増やす必要がなく、目留め剤の使用量を抑えることができる。
【図面の簡単な説明】
【００１１】
【図１】本発明の実施形態の木質材の表面処理装置を示す概略図である。
【発明を実施するための形態】
【００１２】
以下、本発明の実施形態について添付図面に基づいて説明する。
【００１３】
図１に示す本実施形態の木質材の表面処理装置１は、木質の被塗材２の表面２０に有する凹み３を目留め剤５０で埋めることで、この表面２０全体に塗布する目留め剤６０の使用量を抑えるものである。
【００１４】
表面処理装置１は、被塗材２を搬送する搬送装置（図示せず）と、被塗材２の表面２０に有する凹み３を検出する凹み検出装置４と、凹み３に目留め剤５０を注入するオンデマンド方式の塗装装置５と、表面２０に目留め剤６０を塗布する目留め剤塗布装置６とを備える。凹み検出装置４と、オンデマンド方式の塗装装置５と、目留め剤塗布装置６とは、この順に被塗材２の搬送方向に沿って配置されている。
【００１５】
被塗材２は、パーティクルボードや合板等の板状をした木質材である。被塗材２は、搬送方向と直交する方向（以下幅方向とする）の側端面（本実施形態では木口となる表面２０）に、木質材の小片が抜けたり、重ね合わせた板間に隙間ができたりして形成された凹み３を複数有する。本実施形態では、被塗材２は、平面視略矩形状をなしており、搬送方向が長さ方向となっている。なお、被塗材２は、搬送方向の長さが幅よりも短くてもよい。被塗材２は、凹み３を有する表面２０が凹み検出装置４と、オンデマンド方式の塗装装置５と、目留め剤塗布装置６とを配置した側に向けられた状態で、搬送装置によって一方向に搬送される。
【００１６】
搬送装置としては、複数のプーリ間にベルトを掛け渡し、このベルトを搬送方向に回転させるベルトコンベア搬送装置等の、既存の搬送装置が適宜使用可能であり、特に限定されない。搬送装置は、被塗材２を幅方向への位置ズレを規制した状態で搬送する。
【００１７】
凹み検出装置４は、搬送される被塗材２の表面２０に光を照射する照射装置と、照射された被塗材２の表面２０を撮像する撮像装置と、この撮像装置で撮像した画像から、表面２０に形成されている凹み３の大きさと位置を解析する処理装置とからなる。処理装置は、撮像画像に対して２値化処理を行うことによって、凹み３の大きさと位置を解析する。照射装置は、例えば、ＬＥＤや蛍光灯などのライン状の光を発するライン照明装置である。また、撮像装置は、例えば、エリアセンサカメラやラインセンサカメラである。また、処理装置は、例えば、マイクロプロセッサなどを主構成要素とする。２値化処理によって凹み３の大きさと位置を解析する方法としては、既存の方法を適宜使用可能であり、例えば、特開２０１１−２０３２２３号公報で開示された方法が用いられる。なお、凹み検出装置４は、その他の既存の検出装置で、凹み３の大きさと位置を検出するようにしてもかまわない。
【００１８】
凹み検出装置４は、検出した凹み３のうち、所定の大きさ以上の凹み３の大きさと位置のデータを、オンデマンド方式の塗装装置５に送信する。
【００１９】
いわゆるインクジェットプリンタのようなオンデマンド方式の塗装装置５は、凹み検出装置４で検出された所定の大きさ以上の凹み３に対して、各凹み３の大きさに応じた量の目留め剤５０を注入する。オンデマンド方式の塗装装置５は、既存の装置が適宜使用可能である。ここで、凹み３の大きさに応じた量の目留め剤５０とは、凹み３を略完全に埋めることができる量の目留め剤５０を示す。なお、この量の多少の大小は構わない。
【００２０】
目留め剤塗布装置６は、目留め剤５０が注入された凹み３を含む被塗材２の表面２０に、目留め剤６０を一定の厚みで塗布する。この一定の厚みは、所定の大きさ以上の凹み３の深さよりも浅い厚みである。目留め剤塗布装置６としては、目留め剤６０を含浸させたり表面に塗布したりしたローラや、目留め剤６０を噴射する塗装スプレー等が用いられる。目留め剤５０，６０としては、木質材の目留め処理に用いられる既存の目留め剤（例えば、ＵＶ硬化型の目留め剤）が用いられる。
【００２１】
次に、上述した木質材の表面処理装置１によって、被塗材２の表面２０を処理する方法の一例について説明する。
【００２２】
まず、被塗材２の凹み３を有する表面２０が、凹み検出装置４とオンデマンド方式の塗装装置５と目留め剤塗布装置６とを配置した側に向くように、被塗材２を搬送装置上に固定配置する。次いで、搬送装置によって被塗材２を一方向に搬送させる。次いで、搬送されてきた被塗材２の表面２０の凹み３を凹み検出装置４によって検出し、この検出した凹み３の大きさと位置を解析して、所定の大きさ以上の凹み３の大きさと位置のデータをオンデマンド方式の塗装装置５に送信する。次いで、搬送されてきた被塗材２の所定の大きさ以上の凹み３に、各凹み３の大きさに応じた量の目留め剤５０をオンデマンド方式の塗装装置５によって注入して、各凹み３を目留め剤５０で埋める。次いで、目留め剤５０で埋まった凹み２を含む被塗材２の表面２０に対して、搬送方向の先端側から順に目留め剤６０を目留め剤塗布装置６によって塗布していく。なお、上述した凹み３の検出工程や、凹み３の埋め込み工程や、目留め剤６０の塗布工程は、搬送装置による搬送が停止している状態で行われてもよい。
【００２３】
以上のようにして被塗材２の表面２０全体に対して表面処理が終わると、被塗材２の表面２０は、搬送方向の全長に亘って略平坦化され、その略平坦化された表面２０全体に目留め剤６０が一定の厚みで塗布された状態となる。
【００２４】
この目留め剤６０が一定の厚みで塗布された被塗材２の表面２０に、図示しない化粧層形成装置によって化粧層を形成することで、被塗材２の表面２０上には平坦な化粧層が形成される。
【００２５】
化粧層形成装置は、目留め剤塗布装置６よりも搬送方向の下流側に配置される。化粧層形成装置としては、例えば、被塗材２の表面２０に一定の厚みで接着剤を塗布する接着剤塗布装置（図示せず）と、接着剤が塗布された被塗材２の表面２０に紙や樹脂フィルムからなる化粧シートを貼着するシート貼着装置（図示せず）とを備えるものが挙げられる。また、化粧層形成装置としては、目留め剤６０が塗布された被塗材２の表面２０に着色を行う着色塗布装置（図示せず）を備えるものであってもよい。なお、着色塗布装置としては、例えば、オンデマンド方式の塗装装置が挙げられる。
【００２６】
上述した本実施形態の木質材の表面処理装置１では、凹み検出装置４によって木質の被塗材２の表面２０にある所定以上の大きさの凹み３を検出し、この検出した凹み３をオンデマンド方式の塗装装置５によって目留め剤５０で埋めることができる。そのため、表面２０に凹み３を有する被塗材２の表面２０上に化粧層を形成するにあたって、この表面２０に塗布する目留め剤６０の厚みを凹み３を埋めるために全体的に増やす必要がなく、目留め剤６０の使用量を抑えることができる。本実施形態では、目留め剤６０の厚みを、目留め処理に必要な最小限の厚みまで抑えることができる。
【００２７】
なお、図１には、複数（図では３枚）の被塗材２を搬送装置によって一方向に搬送し、各被塗材２に対して、凹み３の検出工程、凹み３の埋め込み工程、及び目留め剤６０の塗布工程を、それぞれ行う例を示した。このように複数の被塗材２に対してそれぞれの工程を行うのではなく、搬送方向に長い１枚の被塗材２に対して、搬送方向の先端側から順に、これらの工程を行うようにしてもよい。
【００２８】
以上のように、本実施形態の木質材の表面処理装置１は、凹み検出装置４と、オンデマンド方式の塗装装置５と、目留め剤塗布装置６とを備える。凹み検出装置４は、木質の被塗材２の表面２０に有する所定の大きさ以上の凹み３を検出する。オンデマンド方式の塗装装置５は、凹み検出装置４によって検出した凹み３の大きさに応じた量の目留め剤５０を凹み３に注入する。目留め剤塗布装置６は、目留め剤５０が注入された凹み３を含む被塗材２の表面２０に目留め剤６０を塗布する。
【００２９】
上述のような構成とすることで、本実施形態の木質材の表面処理装置１では、凹み検出装置４によって木質の被塗材２の表面２０にある所定の大きさ以上の凹み３を検出し、オンデマンド方式の塗装装置５によってこの凹み３を目留め剤５０で埋めることができる。そして、所定の大きさ以上の凹み３が目留め剤５０で埋められて、略平坦となった被塗材２の表面２０に対して、目留め剤６０を塗布することができる。そのため、本実施形態の木質材の表面処理装置１では、表面２０に凹み３を有する被塗材２の表面２０上に化粧層を形成するにあたって、この被塗材２の表面２０に塗布する目留め剤６０の厚みを、凹み３を埋めるために全体的に増やす必要がない。よって、本実施形態の木質材の表面処理装置１では、目留め剤６０の使用量を抑えることができる。
【００３０】
また、本実施形態の木質材の表面処理方法は、木質の被塗材２の表面２０に有する所定の大きさ以上の凹み３を検出し、次に、検出した凹み３の大きさに応じた量の目留め剤５０を凹み３に注入する。そして、その次に、目留め剤５０が注入された凹み３を含む被塗材２の表面２０に目留め剤６０を塗布する。
【００３１】
本実施形態の木質材の表面処理方法では、検出した所定の大きさ以上の凹み３を目留め剤５０で埋めて、略平坦化した表面２０に目留め剤６０を塗布することができる。そのため、本実施形態の木質材の表面処理方法では、表面２０に凹み３を有する被塗材２の表面２０上に化粧層を形成するにあたって、この被塗材２の表面２０に塗布する目留め剤６０の厚みを、凹み３を埋めるために全体的に増やす必要がない。よって、本実施形態の木質材の表面処理方法では、目留め剤６０の使用量を抑えることができる。
【００３２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３３】
１      表面処理装置
２      被塗材
３      凹み
４      凹み検出装置
５      オンデマンド方式の塗装装置
６      目留め剤塗布装置
２０    表面
５０    目留め剤
６０    目留め剤
【図１】
2013188913.tif 000003